(57)【要約】  方法及びシステムは少なくとも１つの無線信号に、少なくとも一部は、基づいて携帯端末の可能性がある動作または非動作が検出されることを許可するために提供される。例えば、１つの方法に従って、携帯端末は第１の無線通信システムで作動するように構成されるかもしれないし、その方法は、少なくともひとつの地上波に基づく第２の無線通信システムからの少なくとも１つの無線信号に、少なくとも一部が、基づいて携帯端末の動作または非動作を検出すること、及び動作または非動作を検出することに応じて、携帯端末内部の少なくとも１つの処理を開始することまたは停止することを含むかもしれない。
2012504906.tif 000002
【特許請求の範囲】
【請求項１】
第1の無線通信システムで作動するように構成された無線携帯端末での使用に関する方法であって、
前記方法は、
少なくとも１つの地上波に基づく第２の無線通信システムからの少なくとも１つの無線信号に少なくとも一部が基づいている前記携帯端末の動作または非動作を検出することと、
前記動作または前記非動作を検出することに応じて、前記携帯端末内部の少なくとも１つの処理を開始することまたは停止することと、
を具備する方法。
【請求項２】
前記携帯端末は、動作または非動作を検出している間の第１のモード及び前記少なくとも１つの処理を開始することまたは停止することの結果としての第２のモードで作動している請求項１記載の方法。
【請求項３】
前記第１のモードで作動している時、前記携帯端末は前記第２のモードで作動している時よりも少ない電力を使用する請求項２記載の方法。
【請求項４】
前記少なくとも１つの処理が位置検出処理を具備する請求項１記載の方法。
【請求項５】
前記携帯端末の動作または非動作を検出することは前記第２の無線通信システムの少なくとも１つのデバイスへの少なくとも前記携帯端末の推定された近接の変化または不変化を決定することを具備する請求項１記載の方法。
【請求項６】
前記近接は、一定の期間にわたって前記第２の無線通信システムの前記少なくとも１つのデバイスから前記少なくとも１つの無線信号を監視することによって決定される請求項５記載の方法。
【請求項７】
前記近接の前記変化は、前記監視された無線信号の信号強度の変化または不変化に基づいて決定される請求項６記載の方法。
【請求項８】
前記近接の前記変化は、時間の閾値の間、前記監視された無線信号の損失に基づいて決定される請求項７記載の方法。
【請求項９】
前記近接は、前記無線信号を取得すること及び信号伝播タイミングの変化または不変化を識別することによって決定される請求項５記載の方法。
【請求項１０】
前記第２の無線通信システムは、超広帯域基地局、ジグビー基地局、ブルートゥース基地局、無線ネットワークアクセスポイントの少なくとも１つ及び/または前記第１の通信システムを作動可能なように強化することによって前記第２の通信システムを適応的に確立する少なくとも１つのシステム強化デバイスを具備する請求項１記載の方法。
【請求項１１】
第１の無線通信システムで作動するように構成された装置であって、
前記装置が、
少なくとも１つの地上波に基づく第２の無線通信システムからの少なくとも１つの無線信号を少なくとも監視するように適用された受信器と、
前記受信器に作動可能なように接続され、前記少なくとも１つの無線信号に、少なくとも一部で、基づいて動作または非動作を検出することに適用し、前記動作または前記非動作を検出することに応じて、少なくとも１つの処理を開始することにまたは停止することに適応したプロセシングユニットと、
を具備する。
【請求項１２】
前記装置が、動作または非動作を検出するための第１のモードで及び前記少なくとも１つの処理の開始または停止の結果としての第２のモードで作動する請求項１１記載の装置。
【請求項１３】
前記第１のモードで、前記第２のモードで作動している時よりも少ない電力を前記装置が使用する請求項１２記載の装置。
【請求項１４】
少なくとも前記プロセシングユニットに作動可能なように接続され、及び前記少なくとも１つの処理の開始または停止に応じて、前記装置の位置を決定することに適用された位置検出器をさらに具備する請求項１１記載の装置。
【請求項１５】
前記プロセシングユニットが、前記第２の無線通信システムの少なくとも１つのデバイスへの少なくとも推定された近接の変化または不変化を決定することに適用された請求項１１記載の装置。
【請求項１６】
前記近接が、一定の期間にわたって前記第２の無線通信システムの前記少なくとも１つのデバイスから前記少なくとも１つの無線信号を少なくとも監視することによって決定される請求項１５記載の装置。
【請求項１７】
前記近接の前記変化は、前記監視された無線信号の信号強度の変化または不変化に基づいて決定される請求項１６記載の装置。
【請求項１８】
前記近接の前記変化が、時間の閾値の間、前記監視された無線信号の損失に基づいて決定される請求項１７記載の装置。
【請求項１９】
前記近接が、前記受信器で前記無線信号を取得すること及び前記プロセシングユニットで信号伝播タイミングの変化または不変化を識別することによって決定される請求項１５記載の装置。
【請求項２０】
前記第２の無線通信システムが、超広帯域基地局、ジグビー基地局、ブルートゥース基地局、無線ネットワークアクセスポイント、セルラーマイクロ基地局、及び/またはセルラーリピーターの少なくとも１つを具備する請求項１１記載の装置。
【請求項２１】
第１の無線通信システムで作動するように構成された無線携帯端末で使用のための装置であって、
前記装置は、
少なくとも１つの地上波に基づく第２の無線通信システムからの少なくとも１つの無線信号に、少なくとも一部が、基づいて携帯端末の動作または非動作を検出するための手段と、
前記動作または前記非動作を検出することに応じて、前記携帯端末内部の少なくとも１つの処理を開始するための、または停止するための手段と、
を具備する装置。
【請求項２２】
前記携帯端末が、前記携帯端末の動作または非動作を検出するための前記手段で第１のモード、及び前記携帯端末内部の少なくとも１つの処理を開始するための前記手段または停止するための前記手段の結果としての第２のモードで作動する請求項２１記載の装置。
【請求項２３】
前記第１のモードで作動している時、前記携帯端末が前記第２のモードで作動している時よりも少ない電力を使用する請求項２２記載の装置。
【請求項２４】
前記少なくとも１つの処理が位置検出のための手段を具備する請求項２１記載の装置。
【請求項２５】
前記携帯端末の動作または非動作を検出するための前記手段は、前記第２の無線通信システムの少なくとも１つのデバイスへの少なくとも前記携帯端末の推定された近接の変化または不変化を決定するための手段を具備する請求項２１記載の装置。
【請求項２６】
前記近接が、一定の期間にわたって前記第２の無線通信システムの前記少なくとも１つのデバイスからの前記少なくとも１つの無線信号を監視するための手段によって決定される請求項２５記載の装置。
【請求項２７】
前記近接の前記変化が、前記監視される無線信号の信号強度の変化または不変化に基づいて決定される請求項２６記載の装置。
【請求項２８】
前記近接の前記変化は、時間の閾値の間、前記監視された無線信号の損失に基づいて決定される請求項２７記載の装置。
【請求項２９】
前記近接が、前記無線信号を取得すること及び信号伝播タイミングの変化または不変化を識別することによって決定される請求項２５記載の装置。
【請求項３０】
前記第２の無線通信システムは、超広帯域基地局、ジグビー基地局、ブルートゥース基地局、無線ネットワークアクセスポイントの少なくとも１つ及び/または前記第１の通信システムを作動可能なように強化することによって前記第２の通信システムを適応的に確立する少なくとも１つのシステム強化デバイスを具備する請求項２１記載の装置。
【請求項３１】
もし携帯端末内部の少なくとも１つのプロセシングユニットによって実行されると、少なくとも１つの地上波に基づく第２の無線通信システムからの少なくとも１つの無線信号に、少なくとも一部が、基づき携帯端末の動作または非動作を検出することに応じて携帯端末内部の少なくとも１つの処理を開始または停止することを、前記少なくとも１つのプロセシングユニットに可能にさせるコンピュータ実行可能なインストラクションを具備しているコンピュータ読取可能な媒体。
【請求項３２】
前記携帯端末は、動作または非動作を検出している間の第１のモード及び前記少なくとも１つの処理を開始または停止した後の第２のモードで作動することが、作動可能なように、可能である請求項３１記載のコンピュータ読取可能な媒体
【請求項３３】
前記第１のモードで作動している時、前記携帯端末が前記第２のモードで作動している時よりも少ない電力を使用する請求項３２記載のコンピュータ読取可能な媒体。
【請求項３４】
前記少なくとも１つの処理が位置検出処理を具備する請求項３１記載のコンピュータ読取可能な媒体。
【請求項３５】
もし、前記少なくとも１つのプロセシングユニットによって実行されると、前記第２の無線通信システムの少なくとも１つのデバイスへの少なくとも前記携帯端末の推定された近接の変化また不変化を決定することを前記少なくとも１つプロセシングユニットに作動可能なように可能にさせるコンピュータ実行可能なインストラクションをさらに具備している請求項３１記載のコンピュータ読取可能な媒体。
【請求項３６】
前記近接が、一定の期間にわたって前記第２の無線通信システムの少なくとも１つのデバイスからの前記少なくとも１つの無線信号を監視することによって決定される請求項３５記載のコンピュータ読取可能な媒体。
【請求項３７】
前記近接の前記変化は前記監視される無線信号の信号強度の変化または不変化に基づいて決定される請求項３６記載のコンピュータ読取可能な媒体。
【請求項３８】
前記近接の前記変化が、時間の閾値の間、前記監視される無線信号の損失に基づいて決定される請求項３７記載のコンピュータ読取可能な媒体。
【請求項３９】
前記近接が、前記無線信号を取得すること及び信号伝播タイミングの変化または不変化を識別することによって決定される請求項３５記載のコンピュータ読取可能な媒体。
【請求項４０】
前記第２の無線通信システムは、超広帯域基地局、ジグビー基地局、ブルートゥース基地局、無線ネットワークアクセスポイントの少なくとも１つ及び/または前記第１の通信システムを作動可能なように強化することによって前記第２の通信システムを適応的に確立する、少なくとも１つのシステム強化デバイスを具備する請求項３１記載のコンピュータ読取可能な媒体。
【発明の詳細な説明】
【技術分野】
【０００１】
この中に開示される要旨は無線通信に関連し、携帯端末の動作検出を可能にさせる方法及びシステムにさらに特に関連する。
【背景技術】
【０００２】
情報
無線通信システムはデジタル情報アンテナで最も普及した技術の１つに急速になってきている。携帯電話及び他の同様な通信システムが地球全体に現在まで及ぶ。さらに、様々なタイプ及びサイズの新しい無線システム（例えば、ネットワーク）が、固定及びポータブルの両方で、多過のデバイス間で、無線接続で提供するために日々加えられる。これらの無線システムの多くは、さらに多くの通信を促進するために、他の通信システム及びリソースを通してお互いに結合され、情報の共有をしている。
【０００３】
ある無線通信システムの携帯端末は、それらが静止している及び/または移動している時検出することに有効であるかもしれない。例えば、携帯端末が静止しているかまたは移動しているかどうかに基づいて時折、電力を保存またはさもなければ 電力消費を減少するために、携帯端末の作動を変更することは有益であるかもしれない。いくつかの携帯端末は、例えば動作または非動作を検出するために使用されるかもしれない、ジャイロスコープ、コンパスまたは他の同様の磁場検出機械、加速度計、またはその同類のもののような動作検出機械を含むかもしれない。しかしながら、このような機械の追加は、携帯端末の複雑性、電力要求、サイズ、及び/またはコストを増加させるかもしれない。
【発明の概要】
【０００４】
方法及び装置は無線通信システムに関して提供される。例えば１つの方法に従って、携帯端末は第１の無線通信システムで作動するように構成されるかもしれないし、方法は、少なくとも１つの地上波に基づいた第２の無線通信システムからの少なくとも１つの無線信号に、少なくとも一部が、基づいて携帯端末の動作または非動作を検出すること、及び動作または非動作を検出することに応じて、携帯端末内部の少なくとも１つの処理を開始または停止することを含むかもしれない。従って、ある例の実施で、携帯端末は動作または非動作を検出する間の第１のモード及び処理を開始または停止することの結果としての第２のモードで作動するかもしれない。例えば、第１のモードで携帯端末は第２のモードで作動している時よりも少ない電力を使用するかもしれない。開始されるまたは停止される処理は、例えば位置検出処理または同類のものを含むかもしれない。
【０００５】
ある実施で、携帯端末の動作または非動作を検出することは、例えば、第２の無線通信システムの少なくとも１つのデバイスへの少なくとも携帯端末の推定された近接の変化を決定することを含むかもしれない。
【０００６】
ここで、近接は一定の期間にわたって第２の無線通信システムの少なくとも１つのデバイスからの少なくとも１つの無線信号を監視することによって決定されるかもしれない。従って、例えば、近接の変化は監視される無線信号の信号強度の変化に基づいて決定されるかもしれない。ある実施で、近接の変化は時間の閾値の間監視される無線信号の損失に基づいて決定されるかもしれない。ある実施で、近接は無線信号を取得すること、及び信号伝播タイミングまたは同類のものの変化を識別することによって決定されるかもしれない。
【０００７】
例示の装置は、第１の無線通信システムで作動するように構成されるかもしれないし、少なくとも１つの地上波に基づいた第２の無線通信システムからの少なくとも１つの無線信号を少なくとも監視することに適用された受信器、及び少なくとも１つの無線信号に、少なくとも一部が、基づいて動作または非動作を検出し、動作または非動作を検出することに応じて、少なくとも１つの処理を開始または停止するように適用されたプロセシングユニットを含むかもしれない。ここで、例えば、第２の無線通信システムは超広帯域基地局、ジグビー基地局、ブルートゥース基地局、無線ネットワークアクセスポイント、セルラーマイクロ基地局、セルラーリピーター、及び/または同様のものを含むかもしれない。
【図面の簡単な説明】
【０００８】
非制限及び非排他的側面が次の図を参照して記述され、同様の参照番号が別のやり方で特定されなければ、様々な図を始めから終わりまで同様の部分を参照する。
【図１】図１は、少なくとも２つの無線通信システムを持っているシステムの例示の実施形態を例証しているブロック図であり、無線通信システムの少なくとも１つが他の無線通信システムと関連した無線信号を少なくとも監視することに基づいて動作または非動作を検出するのに適用した少なくとも１つの携帯端末を含むブロック図である。
【図２】図２は、図１に従ったシステムのさらなる例示の実施形態を例証している図である。
【図３】図３は、例えば図１及び図２のシステムでの使用のために適用されるかもしれない携帯端末の動作または非動作を検出する時の使用のための方法を例証しているフロー図である。
【図４】図４は、例えば図１及び図２、及び/または図３の方法のシステムでの使用のために適用されるかもしれない少なくとも１つのデバイスに関して携帯端末の動作検出及び/または近接を推定する時の使用のための方法を例証しているフロー図である。
【発明を実施するための形態】
【０００９】
ある無線通信システムの携帯端末は、それらが静止及び/または移動している時に検出されることに有益であるかもしれない。例えば、電力を保存するために携帯端末の作動を変えること、またはさもなければ携帯端末が静止しているかまたは移動しているかどうかに時折基づいて、電力消費を減少させることは有益であるかもしれない。いくつかの携帯端末は例えばジャイロスコープ、コンパス、または、他の同様の磁場検出機械、加速度計、または動作または非動作を検出するために使用されるかもしれない同様のもののような、動作検出機械を含むかもしれない。しかしながら、このような機械の追加は、複雑性、が電力要求、サイズ、及び/または携帯端末のコストを増加するかもしれない。
【００１０】
１つ以上の他の無線通信システムの一部である装置と関連された１つ以上の無線信号に基づいて可能性のある動作または非動作を検出することを、第１の無線通信システムと関連した携帯端末に許可するかもしれないという方法及びシステムがこの中に提供される。携帯端末は、例えば、デバイス(device(s))に関して、携帯端末の近接の可能性のある変化を決定ために、このようなデバイス（device(s)）で無線信号を取得及び/またはできる限り交換、及び/またはこのような無線信号を監視するかもしれない。ある実施で、このような起こりうる動作または非動作を検出する時の携帯端末は、例えば、１つ以上の処理を開始または停止する、作動しているモードを変更する等であるかもしれない。例えば、携帯端末はこのような起こりうる動作または非動作を検出する時のさらに正確な位置検出処理を開始または停止するかもしれない。
【００１１】
図１に今描かれていることに注意すると、第１の無線通信システム１０２及び少なくとも１つの第２の無線通信システム１０４を含むかもしれないシステム１００を例証しているブロック図である。システム１００は位置検出システム１０６をも含むかもしれない。
【００１２】
第１の無線通信システム１０２は、代表的な少なくとも１つの携帯デバイスに無線接続を提供するのに適用されたサービス及び/または１つ以上の通信ネットワークである。図１に示されるように、第１の無線通信システム１０２は、例えば携帯端末１０８及び少なくとも１つのベーストランシーバ基地局１１０を含むかもしれない。第１の無線通信システム１０２は無線接続を提供するのに作動可能なように適用された（図示しない）ネットワークデバイス及び/または有線通信または他の同様の無線をも含むかもしれない。限定ではないが例によって、第１の無線通信システム１０２は携帯電話及び/または同様の通信システムを含むかもしれない。
【００１３】
携帯端末１０８は、物理的に移動されるかもしれないし、無線信号を通した少なくとも第１の無線通信システム１０２を使用して作動可能なように通信するのに適用されるかもしれない任意のデバイスの代表例である。したがって、携帯端末１０８は、例えばラジオ、電話、個人用携帯情報端末（ＰＤＡ）、ページャー、ポータブルコンピュータ、及び/または同様のものを含むかもしれない。図１に例証されるように、例示の携帯端末１０８は少なくとも１つのプロセシングユニット１２０、メモリ１２２、トランシーバ１２４、及び電源１２８を含むかもしれない。携帯端末１０８は位置検出器１２６をも含むかもしれない。
【００１４】
プロセシングユニット１２０はプログラム可能なインストラクションに従った１つ以上の処理を行うのに適用可された１つ以上の回路の代表である。このようなプログラム可能なインストラクションは、例えばデータを格納するかもしれない任意の回路の代表であるメモリ１２２で提供されるかもしれない。したがって、例えばメモリ１２２はランダムアクセスメモリ（ＲＡＭ）、リードオンリーメモリ（ＲＯＭ）、及び/または他の同様のコンピュータ読取可能な媒体の１つ以上の形式を含むかもしれない。メモリ１２２に格納されるデータは携帯端末によって実行されるかもしれない１つ以上の処理と関連した情報及び/またはプログラム可能なインストラクションを表すかもしれない。
【００１５】
図１に例証されるように、メモリ１２２は第１の作動モードと関連したデータ１３０及び第２の作動モードと関連したデータ１３２を含むかもしれない。限定ではないが例によって、第１の作動モードは第２の作動モードで行われるよりも電源１２８からのより少ない電力を消費することを携帯端末に許可するかもしれない。このような位置決定処理は、例えば位置検出１２６及び位置検出システム１０６を作動可能なように利用するかもしれない。限定ではないが例によって、位置検出システム１０６は衛星測位システム及び/または同様のものを含むかもしれない。
【００１６】
次のセクションでより詳細に提供されるだろうように、ある例示の実施で、第１の作動モードは、第２の通信システム１０４と関連した無線信号に基づいて、携帯端末の可能性のある動作の検出または非動作を許可するかもしれないし、このような可能性のある動作または非動作を決定することに基づいて少なくとも１つの処理の開始または停止を許可するかもしれない。ここで、例えば開始された処理または停止された処理は携帯端末を第２の作動モードに切り替えるように作動するかもしれない。ある実施で、開始された処理及び/または第２のモード、または停止された処理及び/または第２のモードは位置決定処理を含む/除外するかもしれない。
【００１７】
トランシーバ１２４は、第２の通信システム１０４の少なくとも１つのデバイス１１２からの無線信号を少なくとも監視するのに適用されかもしれない任意の回路の代表例である。ある実施で、トランシーバ１２４は少なくともデバイス１１２からの無線信号を取得するのに適用するかもしれない任意の回路をも含むかもしれない。ある実施で、トランシーバ１２４は少なくともデバイス１１２に無線信号を送信するのに適用するかもしれない任意の回路をも含むかもしれない。さらに他の実施で、トランシーバ１２４は第１の通信システム１０２の基地局１１０に信号を取得し送信するのに適用するかもしれない任意の回路を含むかもしれない。他の実施で、トランシーバ１２４は無線信号を第１の通信システム１０２及び/または第２の通信システム１０４から、または第１の通信システム１０２及び/または第２の通信システム１０４へ作動可能なように取得及び/または送信するのに適用するかもしれないセパレート回路を含むかもしれない。回路の一部として、トランシーバ１２４は（図示しない）少なくとも１つのアンテナを含むかもしれない。
【００１８】
無線信号及び携帯端末に関してこの中で使用されるような用語“監視”は、もし無線信号を取得しなければ、無線信号を少なくとも検出するのに適合している携帯端末を参照する。検出された信号は、例えば計測される信号プレゼンス、強度または他の同様のパラメータを少なくとも許可するような方法で受信されるものであるかもしれない。検出された信号は、例えば十分な情報がその中に送信されたデータを得るために受信された無線信号の処理を可能にする無線信号から得られるかもしれない時、携帯端末によって取得されるかもしれない。このような情報は、例えばわずかな例を単に挙げると、搬送波周波数、RFフェーズ、コード、コードフェーズ、タイミング、及び/またはドップラーシフトに関連している情報を含むかもしれない。無線通信システムから無線信号を上手く取得している時、携帯端末は無線通信システムとさらに通信するかもしれない。携帯端末によって実行されるかもしれない実際の無線信号取得技術は無線通信システムに関連した無線信号方式に依存するだろう。このような無線信号取得技術は、周知であり、本記述の範囲を超える。
【００１９】
この中で使用されるように、無線通信システムは無線信号を交換するように構成可能な１つ以上のデバイスに関連する。図１で、第１の通信システム１０２、携帯端末１０８、及びベーストランシーバ基地局１１０の個々または組み合わせは、このような無線通信システムの代表例であるかもしれない。したがって、限定ではないが例によって、無線通信システム１０２及び/または１０４は無線ＷＡＮ（WWAN）、無線ＬＡＮ（WLAN）、ワイヤレス・パーソナル・エリア・ネットワーク（WPAN）などを含むかもしれない。
【００２０】
用語“ネットワーク”及び“システム”は交換可能によく使用される。WWANは、例えば符号分割多元接続（CDMA）ネットワーク、時分割多元接続（TDMA）ネットワーク、周波数分割多元接続（FDMA）ネットワーク、直交波周波数分割多重（OFDMA）ネットワーク、シングルキャリア周波数分割多元接続（SC-FDMA）ネットワークなどであるかもしれない。CDMAネットワークは、例えばcdma２０００のような１つ以上の第２世代無線接続技術（RATs）、広帯域CDMA（W-CDMA）などを実装するかもしれない。Cdma２０００はIS−９５、IS−２０００、及びIS−８５６基準を含む。TDMAネットワークは、例えばモバイル通信に関するグローバルシステム（GSM（登録商標））、デジタル式高度移動電話方式(DAMPS)、またはいくつかの他のRATを実装するかもしれない。GSM及びW-CDMAは“第３世代移動体通信システムの標準化プロジェクト”（3GPP）と名付けられたコンソーシアムからの文書の中に記述される。Cdma２０００は“第３世代移動体通信システムの標準化プロジェクト２”（3GPP２）と名付けられたコンソーシアムからの文書の中に記述される。WLANは、例えばIEEE 802.11xネットワークであるかもしれないし、WPANはブルートゥースネットワーク、IEEE 802.15x、またはいくつかの他のタイプのネットワークであるかもしれない。技術はWWAN、WLAN、及び/またはWPANの任意の組み合わせとしても使用されるかもしれない。
【００２１】
この中で使用されるように、衛星測位システム(SPS)は無線信号を携帯端末に送信するように設定可能な１つ以上のデバイス（及び/または、携帯端末に作動可能なように接続されるかもしれない配置）に関連し、そこで無線信号はいくつかの方法で携帯端末の位置（例えば位置の情報）を決定することを携帯端末に許可する。図１で、位置検出システム１０６はこのような衛星位置システムを含むかもしれない。したがって、限定ではないが例によって、位置検出システム１０６は、全地球測位システム（GPS）、ガリレオ（測位システム）、GLONASS、NAVSTAR、Beidou、QZNSS、これらのシステムの組み合わせ、または将来開発される任意のSPSから衛星を使用するシステムを含むかもしれない。
【００２２】
さらに、この中で使用されるように、位置検出システム１０６は“スードライト”システムをも含むかもしれない。スードライトシステムは、例えばＧＰＳ時間と同期するかもしれない、Ｌ帯域（または他の周波数の）伝播信号で変調された（ＧＰＳまたはＣＤＭAセルラー信号に類似した）レンジングコードまたはＰＮコードを送信する地上の送信器を含むかもしれない。各々のこれらの送信器は、例えば携帯端末１０８のような遠隔受信器によって識別を許可するために固有のPNコードを割り当てられるかもしれない。このようなスードライトシステムは、例えばトンネル内、坑道内、ビル内、都市の谷間内、または他の閉じられた地域内のような軌道衛星からのGPS信号が利用できないかもしれない状況で有益であるかもしれない。
【００２３】
ある実施で、位置検出システム１０６は１つ以上のベーストランシーバ基地局または携帯端末１０８の位置を決定するために使用されるかもしれない同類のもののような、第１の通信システムの一部であるデバイス及び/またはリソースを含むかもしれない。このような技術は周知でありこの記述の範囲を超える。
【００２４】
この中に記述された方法はアプリケーションに依存している様々な手段によって実行されるかもしれない。例えば、これらの方法はハードウェア、ファームウェア、ソフトウェア、またはその組み合わせで実行されるかもしれない。ハードウェア実装に関して、１つ以上のプロセシングユニット１２０は１つ以上の特定用途向け集積回路（ASICs）、デジタル・シグナル・プロセッサ(DSPs)、デジタル・シグナル・プロセッサ・デバイス（DSPDs）、プログラマブル・ロジック・デバイス(PLDs)、フィールド・プログラマブル・ゲート・アレイ（FPGAs）、プロセッサ、コントローラ、マイクロコントローラ、マイクロプロセッサ、電子デバイス、この中に記述された機能を実行するようにデザインされた他の電子ユニット、またはその組み合わせ内で実施されるかもしれない。
【００２５】
ファームウェア及び/またはソフトウェアの実施に関して、方法論は例えばこの中に記述された機能を実行するような（例えば、手順、機能などの）モジュールを実施するかもしれない。命令を明白に具体化しているがコンピュータ読取可能な媒体または任意の機械はこの中に記述された方法論を実施する時に使用されるかもしれない。例えば、ソフトウェアコードまたは命令、及び他のデータは例えば携帯端末１０８のメモリ１２２のメモリに格納されるかもしれないし、１つ以上のプロセシングユニットによって実行されるかもしれない。メモリはプロセシングユニット内部またはプロセシングユニットの外部に実装されるかもしれない。この中で使用されるように、用語“メモリ”は長期、短期、揮発、不揮発、または他のメモリの任意のタイプに関連し、任意の特定のメモリのタイプまたはメモリの数、またはメモリが格納されている媒体のタイプに限定されない。
【００２６】
携帯端末１０８は電源１２８をも含むかもしれない。電源１２８は携帯端末１０８内の他の回路に電力を供給するのに適用するかもしれない任意の回路の代表例である。例えば、電源１２８は１つ以上のバッテリ、ソーラパネル、または同様のものを含むかもしれない。このような実施は周知である。
【００２７】
ベーストランシーバ基地局１１０は、第１の通信システム１０２内で作動可能なように適用される時、が無線信号を送信及び/または受信するように適用されるかもしれない１つ以上のデバイスの例であるかもしれない。例えば、図１に例証されるように、ベーストランシーバ基地局１１０は携帯端末１０８と無線信号を交換するのに適用するかもしれない。ある実施で、ベーストランシーバ基地局１１０は第２の通信システム１０４の１つ以上のデバイスと無線信号を交換するのにも適用するかもしれない。図１には示されないけれども、ベーストランシーバ基地局１１０は位置検出システムから無線信号を受信もするかもしれないし、位置検出を行う時に携帯端末１０８をできる限り助けるかもしれない。
【００２８】
第２の通信システム１０４は任意の無線通信ネットワークの代表例であるかもしれない。ある実施で、第２の通信システム１０４は第１の通信システム１０２から作動可能なように分離されるかもしれない。
【００２９】
ある実施で、第２の通信システム１０４は直接的及び/または間接的どちらかで、第１の通信システム１０２といくつかの方法で作動可能なように接続されるかもしれない。例えば、第２の通信システム１０４は、直接作動可能なようにサポート、及び/または第１の通信システム１０２の範囲または有用性を拡張する１つ以上のデバイス（例えば、リピーターまたは同様のもの）を含むかもしれない。このようなデバイスは、例えば無線信号の透かし、及び/または携帯端末１０８がデバイスによって送信された無線信号を区別することを許可するかもしれない同様のものをサポートするかもしれない。
【００３０】
他の実施で、第１の通信システム及び第２の通信システムは、例えば電話システム、インターネットなどのような（図示されない）１つ以上の他の通信システムを通して間接的にお互い作動可能なように接続されるかもしれない。
【００３１】
第２の通信システム１０４内部のデバイス１１２は地上波に基づくかもしれない。第２の通信システム１０４内部のデバイス１１２は位置で固定されるかもしれない。限定ではないがさらなる例によって、デバイス１１２は、例えば第一の通信システム１０２の範囲または有用性を直接動作可能なようにサポート及び/または拡張する（例えば、リピーターまたは同様のものである）いつ以上のデバイスを含むかもしれない。
【００３２】
１つの側面にしたがって、携帯端末１０８は、それに関連する携帯端末の可能性のある動作または非動作の検出を助ける近接検出デバイスとしてデバイス１１２の近距離の通信送信能力を使用するかもしれない。指摘されるように、監視される無線信号または取得される無線信号は、携帯端末１０８からデバイス１１２への範囲または変化を決定またはさもなければ推定するために使用されるかもしれない。例えば、近くのUWB基地局、ジグビー基地局、ブルートゥース基地局、ＷｉＦｉアクセスポイント、セルラーマイクロ基地局、ＳＯＨＯリピーター、が及び/または同様のものと関連した検出可能な無線信号変化が、が送信しているデバイスに関して、形態端末の動作と関連されるかもしれない。例えば、ジグビー基地局はブルートゥース基地局に類似したおおよそ１０メートルの範囲を提供するかもしれない、それに対してブルートゥースクラス１基地局は３０メートルの範囲を提供するかもしれないし、（例えば、屋内の環境のための）セルラーマイクロBTSは１００メートルの範囲を提供するかもしれない。このような短い範囲で、デバイス１１２に関連した携帯端末１０８の絶対的または実質的に正確な近接は、携帯端末の動作または非動作を決定することを必要とされないかもしれない。その代わり、可能性のある動作または非動作はデバイス１１２の範囲内で受け取った変化または違いに少なくとも一部は基づいて検出されるかもしれない。例えば、無線信号の大きさでの増加または減少、新しい無線信号のプレゼンス、存在している無線信号の損失、信号伝播タイミングの増加または減少、あるデバイス１１２から他のデバイス１１２へのハンドオーバ、及び/または信号モニタリング及び/または信号取得を経た他の同様の信号条件は、携帯端末の動作の指標であるかもしれない。反対に、無線信号の大きさでの大幅な増加または減少の欠如、新しい無線信号のプレゼンスの欠如、存在している無線信号の継続的受信、信号伝播タイミングの大幅な増加または減少の欠如、あるデバイス１１２から他のデバイス１１２へのハンドオーバの欠如、及び/または信号モニタリング及び/または信号取得を経た他の同様の信号条件の欠如は、携帯端末の非動作の指標であるかもしれない。
【００３３】
図２はシステム１００に類似したシステム２００をさらに描いている例示の図であり、携帯端末１０８はデバイス１１２a及び/またはデバイス１１２bからの無線信号を監視するかもしれないし、それに基づいて可能性のある動作または非動作を決定するかもしれない。ここで、携帯端末１０８は携帯電話によって表され、デバイス１１２a及び１１２bは地上波に基づく基地局アンテナによって表される。さらに例示されるように、携帯端末１０８は塔アンテナによってここに表されるベーストランシーバ基地局１１０への選択的通信することに適用するかもしれない。携帯端末１０８は３つの衛星１０６a、１０６b、及び１０６cによってここに表された衛星測位システムからの信号をも受信するかもしれない。
【００３４】
図２で、携帯端末１０８は、デバイス１１２aへの推定された近接２０２a及びデバイス１１２bへの推定された近接２０２ｂを持っているように例証される。もし推定された近接２０２a及び/または２０２bのどちらかが変化すれば、携帯端末１０８は動作または非動作を検出するかもしれない。動作または非動作を検出する時、携帯端末１０８は第１の作動モードから第２の作動モードへ切り替わるかもしれない。第１の作動モードは、例えばベーストランシーバ基地局１１０、位置検出動作などとの通信に影響を与えるかもしれない電力消費低減モードを含むかもしれない。第２の作動モードは、例えばベーストランシーバ基地局１１０、位置検出動作などとの通信にいくつかの方法で影響を与える１つ以上の処理を含むかもしれない。
【００３５】
図３は少なくとも一部が実施されるかもしれない、またはシステム１００及び/または２００内部での使用に適用されるかもしれない。
【００３６】
ブロック３０２で、携帯端末の動作または非動作が、少なくとも１つの地上波に基づく無線通信システムからの少なくとも１つの無線信号に、少なくとも一部で、基づいて検出されるかもしれない。例えば、ブロック３０６で、ブロック３０２は一定の期間にわたって少なくとも１つの無線信号を監視することを含むかもしれない。ブロック３０８で、変化は第２の無線通信システムの送信しているデバイスへの少なくとも携帯端末の推定された近接が決定されるかもしれないということである。例として、ブロック３１０で、ブロック３０８は信号強度、信号の損失、新しい信号、及び/または信号伝播タイミングの変化を識別することを含むかもしれない。ブロック３０２、ブロック３０６及び３０８で、監視される信号が取得されるかもしれない。
【００３７】
ブロック３０４で、少なくとも１つの処理が、ブロック３０２での動作または非動作を検出することへの応答として、開始されるかもしれないし、または停止されるかもしれない。例えば、ブロック３１２で、ブロック３０４は第１の作動モードから第２の作動モードへ切り替えることを含むかもしれない。例えば、ブロック３１４で、ブロック３０４は携帯端末の位置を決定することを含むかもしれない。
【００３８】
図４は、携帯端末及びデバイス間の近接の変化を推定するために使用されるかもしれない方法４００を描いているフロー図であり、方法４００の少なくとも一部が実施されるかもしれない、またはシステム１００及び/または２００、及び/または方法３００内での使用に適用されるかもしれない。
【００３９】
ブロック４０２で、少なくとも１つの第２の無線通信システムで少なくとも１つのデバイスは、少なくとも第１の無線通信システムでの使用に適用されるかもしれない携帯端末によって識別されるかもしれない。デバイスは、例えばデバイスのプレゼンスを識別する装置からの無線信号を取得するかもしれない。ブロック４０４で、携帯端末はデバイスへ少なくとも１つのメッセージを送信するかもしれない。限定ではないが例によって、携帯端末はデバイスを“ピング”する、またはさもないと応答としてデバイスに少なくとも１つのメッセージを送信するように仕向けるいくつかの方法でデバイスと通信する１つ以上のメッセージを送信するかもしれない。ブロック４０６で、携帯端末はデバイスからの少なくとも１つの応答メッセージを受信するかもしれない。
【００４０】
ブロック４０８で、携帯端末は、例えばブロック４０４及び４０６でのメッセージ交換に基づいた信号伝播タイミングを決定するかもしれない。例えば、ラウンドトリップ信号伝播タイミングは、ブロック４０４で送信されたメッセージからの時間の量を測定すること及びブロック４０６での返答メッセージの受信に少なくとも一部が基づいて決定されるかもしれない。ある実施で、信号伝播タイミングは返答メッセージ内のモバイルステーションに提供されたタイムスタンプまたは他の同様の時間表示する情報に、少なくとも一部が基づいて決定されるかもしれない。ある実施で、デバイスは、例えばブロック４０４で携帯端末からのメッセージの受信からの遅延期間の後、応答メッセージを送信するように適用されるかもしれない。このような遅延は、例えば携帯端末が既に感知している所定の遅延期間であるかもしれないし、及び/または返答メッセージは遅延期間と関連した時間情報またはさもなければ遅延時間の指標を含むかもしれない。ある実施で、遅延期間は携帯端末によって知られないかもしれない。
【００４１】
矢印４１０によって例証されるように、方法４００はブロック４０２乃至４０８での１つ以上の機能を繰り返すことを含むかもしれない。例えば、ある実施で、統計的方法で決定されるブロック４０８での信号伝播タイミングを許可する、一定の期間にわたる携帯端末とデバイス間のいくつかのメッセージの交換は有益であるかもしれない。例えば、１以上の期間にわたって平均化されたまたは他の同様の統計的に決定される信号伝播タイミングは、ブロック４１２のように信号伝播タイミングの変化に基づいて装置に関する携帯端末の可能性のある動作または非動作を検出するために、改善された近接推定を提供するかもしれない。したがって、例えば、もし第１の期間の間、平均のラウンドトリップ信号伝播タイミングがｔavgと決定されており、次の期間の間平均のラウンドリップ信号伝播タイミングがｔavgよりも小さいまたはｔavgより多きいと決定されていれば、デバイスへのモバイルステーションの近接が変更され、従って動作が検出されるかもしれないということが決定されるかもしれない。反対に、例えば第１の期間の間、平均のラウンドトリップ信号伝播タイミングがｔavgであると決定され、次の期間の間、平均のラウンドトリップ信号伝播タイミングが（例えば、ｔavgに関して）大幅に非変化であると決定されたならば、デバイスへのモバイルステーションの近接は大幅に変化しないということが決定されるかもしれない。それゆえに、非動作が検出されるかもしれない。ある実施で、他の統計的情報及び/または閾値パラメータは動作検出に関してさらに改善された近接推定を提供するように考えられるかもしれない。
【００４２】
ある例示の技術が記述され、様々な方法及びシステムをこの中で使用しているように示される一方で、請求項の要旨を逸脱することなく、様々な他の修正が作られるかもしれないし、等価なものが代替されるかもしれないということを当業者によって理解されるだろう。さらに、多くの修正がこの中に記述される中心概念から逸脱することなく請求された要旨の教示に特定の状況を適用するように作られるかもしれない。したがって、請求された要旨は特定の例の開示に限定されないし、このように請求された要旨が添付された請求項及びその等価なものの範囲内に向けられている全ての実施をも含むかもしれないということを意図される。
【図１】
2012504906.tif 000003
【図２】
2012504906.tif 000004
【図３】
2012504906.tif 000005
【図４】
2012504906.tif 000006
【国際調査報告】
2012504906.tif 000007
2012504906.tif 000008